(57)【要約】【課題】主に、用紙吸引部に接続される気流発生装置の小型化・低騒音化・省エネルギー化を実現し得るようにする。【解決手段】複数枚の用紙４を積層して成る用紙束２１を収容可能な用紙収容部２２と、用紙収容部２２に収容された用紙束２１から、最も表層に位置する一枚の用紙４を、画像形成部３へ向けて給紙可能な給紙部２３とを備えた画像形成装置１の給紙機構５であって、用紙収容部２２を、水平面に対しほぼ垂直な方向へ紙面を向けて用紙４を収容可能に構成すると共に、給紙部２３が、最も表層に位置する一枚の用紙４を吸引可能な用紙吸引部２４を備えるようにしている。【選択図】図２
2010202354.tif 000002
【特許請求の範囲】
【請求項１】
複数枚の用紙を積層して成る用紙束を収容可能な用紙収容部と、
用紙収容部に収容された用紙束から、最も表層に位置する一枚の用紙を、画像形成部へ向けて給紙可能な給紙部とを備えた画像形成装置の給紙機構であって、
前記用紙収容部を、水平面に対しほぼ垂直な方向へ紙面を向けて用紙を収容可能に構成すると共に、
前記給紙部が、最も表層に位置する一枚の用紙を吸引可能な用紙吸引部を備えたことを特徴とする画像形成装置の給紙機構。
【請求項２】
前記用紙収容部が、収容された用紙束の少なくとも片面を押圧可能な加圧板を備えると共に、
該加圧板を、用紙の紙面に対して垂直方向に移動可能に構成したことを特徴とする請求項１記載の画像形成装置の給紙機構。
【請求項３】
前記用紙収容部が、収容された用紙束の量を検知可能な用紙量検知手段を備えると共に、
該用紙量検知手段で検知された用紙量に基づいて、用紙束に対する加圧板の当接位置を調整可能な位置調整装置を備えたことを特徴とする請求項２記載の画像形成装置の給紙機構。
【発明の詳細な説明】
【技術分野】
【０００１】
この発明は、複写機やプリンタなどの画像形成装置の画像形成部に対して、用紙（シート状転写紙）を給紙するための画像形成装置の給紙機構に関するものである。
【背景技術】
【０００２】
複写機やプリンタなどの画像形成装置には、複数枚の用紙を積層して成る用紙束（積層紙）を収容可能な用紙収容部と、用紙収容部に収容された用紙束から、最も表層に位置する一枚の用紙を、画像形成部へ向けて給紙可能な給紙部とを備えた給紙機構が設けられている（例えば、特許文献１乃至特許文献７参照）。
【０００３】
このような画像形成装置においては、近年、高速化が望まれており、高速化のために、画像記録速度を速めたり、用紙の給紙速度を速めたりすることが検討されている。
【０００４】
そのために、給紙機構の用紙収容部を、ほぼ水平方向へ紙面を向けて用紙を収容可能な横型トレイとしたものに対し、高速給紙手段として、給紙部に、最も表層に位置する一枚の用紙を上方へ吸引可能な用紙吸引部を備えるようにすることが計画されている。
【０００５】
この構成によれば、用紙収容部の横型トレイに横積み状態で収容された用紙束から、最も表層に位置する一枚の用紙を、給紙部の用紙吸引部が上方へ吸引して、画像形成部へ向け給紙するように作動する。
【０００６】
このように、用紙吸引部で用紙を吸引することにより、気流の力を利用して、用紙を高速で給紙することが可能となる。
【発明の概要】
【発明が解決しようとする課題】
【０００７】
しかしながら、上記した画像形成装置の給紙機構には、以下のような問題があった。
【０００８】
即ち、横型トレイに、ほぼ水平方向へ紙面を向けて用紙を収容（横積み）した場合、用紙に作用する重力の方向が、紙面と垂直になるので、即ち、重力に反して用紙を上方へ吸引しなければならないので、最も表層に位置する一枚の用紙を吸引して、残りの用紙から分離するために、用紙吸引部には、大量かつ高い風圧の気流が必要となってしまう。これにより、用紙吸引部に接続される気流発生装置が大型化すると共に、気流発生装置の駆動に高いエネルギーが必要となり、これに伴って、気流発生装置が大きな騒音を発生するのを避けることが難しい。
【０００９】
更に、光沢紙等は、光沢面が密着性を有しているので、横積み状態にすると、上記した密着性が重力に加算されることになるため、用紙吸引部による吸引では、光沢紙等を分離するのが困難となって、給紙を行えないという事態も生じることになる。
【００１０】
なお、上記した以外にも、本発明に至る過程で新たな問題やその他の問題などが発生することも考えられる。このような新たな問題やその他の問題などについては、この欄で記載する代りに本発明の実施の形態の中で説明するものとする。但し、この欄に記載する必要が生じた場合には、実施の形態の当該記載をこの欄にも加えることができるものとする。また、その場合には、この欄の記載として適した表現に修正することができるものとする。
【課題を解決するための手段】
【００１１】
上記課題を解決するために、請求項１に記載された発明は、複数枚の用紙を積層して成る用紙束を収容可能な用紙収容部と、用紙収容部に収容された用紙束から、最も表層に位置する一枚の用紙を、画像形成部へ向けて給紙可能な給紙部とを備えた画像形成装置の給紙機構であって、前記用紙収容部を、水平面に対しほぼ垂直な方向へ紙面を向けて用紙を収容可能に構成すると共に、前記給紙部が、最も表層に位置する一枚の用紙を吸引可能な用紙吸引部を備えたことを特徴としている。
【００１２】
請求項２に記載された発明は、上記において、前記用紙収容部が、収容された用紙束の少なくとも片面を押圧可能な加圧板を備えると共に、該加圧板を、用紙の紙面に対して垂直方向に移動可能に構成したことを特徴としている。
【００１３】
請求項３に記載された発明は、上記において、前記用紙収容部が、収容された用紙束の量を検知可能な用紙量検知手段を備えると共に、該用紙量検知手段で検知された用紙量に基づいて、用紙束に対する加圧板の当接位置を調整可能な位置調整装置を備えたことを特徴としている。
【発明の効果】
【００１４】
請求項１の発明によれば、上記構成によって、以下のような作用効果を得ることができる。即ち、水平面に対しほぼ垂直な方向へ紙面を向けて用紙を収容（縦積み）することにより、用紙に作用する重力の方向が、紙面と平行になるので、即ち、重力の影響を受けることなく用紙を吸引することが可能となるので、最も表層に位置する一枚の用紙を吸引して、残りの用紙から分離するために必要なエアの吸引量を、横型トレイなどに、ほぼ水平方向へ紙面を向けて用紙を収容（横積み）する場合と比較して、大幅に低減することができる。これにより、用紙吸引部に接続される気流発生装置の小型化を図ることや、気流発生装置の駆動に必要なエネルギー及び気流発生装置が発生する騒音の低減を実現することができる。また、上記した横積みの場合には、分離が困難で給紙できなかった光沢紙等に対しても、縦積みとすることによって対応することが可能となる。
【００１５】
請求項２の発明によれば、上記構成によって、以下のような作用効果を得ることができる。即ち、用紙収容部に備えられた加圧板を用いて、縦積みされた用紙束を押圧することにより、用紙束の重力による屈曲を防止することができる。また、加圧板を、用紙束の量または用紙束の量の変化に対応させて、用紙の紙面に対し垂直方向に移動させることにより、用紙束と加圧板との間に隙間が発生するのを防止することができる。更に、加圧板によって、用紙吸引部が用紙を吸引するのに最適な位置に、用紙束を移動し、または、保持することができる。
【００１６】
請求項３の発明によれば、上記構成によって、以下のような作用効果を得ることができる。即ち、用紙収容部に備えられた用紙量検知手段は、用紙収容部に収容された用紙束の量を検知する。そして、用紙量検知手段で検知された用紙量に基づいて位置調整装置は、用紙束に対する加圧板の当接位置を調整する。これにより、用紙束の量または用紙束の量の変化に拘らず、加圧板を、常に上記した最適な位置に保持することが可能となる。
【図面の簡単な説明】
【００１７】
【図１】本発明の実施例にかかる画像形成装置の構成図である。
【図２】図１の給紙機構部分の拡大図である。
【図３】図２の変形例を示す図である。
【発明を実施するための形態】
【００１８】
本発明は、主に、用紙吸引部に接続される気流発生装置の小型化・低騒音化・省エネルギー化を実現することを目的としている。
【００１９】
以下、本発明を具体化した実施例について、図示例と共に説明する。
【実施例】
【００２０】
図１〜図３は、この発明の実施例およびその変形例を示すものである。
【００２１】
＜構成＞まず、構成について説明する。
【００２２】
図１は、画像形成装置１の一例として、プリンタ２の構成を示している。なお、画像形成装置１は、複写機などであっても良い。
【００２３】
このプリンタ２は、その本体に、画像形成部３と、この画像形成部３に用紙４（シート状転写紙）を給紙可能な給紙機構５とを備えている。画像形成部３と給紙機構５との間には、用紙搬送路６が設けられる。
【００２４】
上記した画像形成部３は、主に、レジスト手段１１と、像担持体としての感光体ドラム１２と、定着装置１３とを、上流側から順に備えている。 
【００２５】
レジスト手段１１は、上下一対のレジストローラ１１ａ，１１ｂを備えている。レジストローラ１１ａ，１１ｂは、給紙機構５から給紙された用紙４を、一旦停止し、斜めズレを修正した後、感光体ドラム１２の回転に同期するタイミングで、即ち、感光体ドラム１２上に形成されたトナー像の先端と用紙４の給紙方向の先端部の所定位置とが一致するタイミングで、後述する転写部１４へと送るように構成されている。
【００２６】
像担持体としての感光体ドラム１２の周りには、矢印で示す回転方向の順に、帯電手段１５と、露光手段１６の一部を構成するミラー１６ａと、現像装置１７と、転写手段１８と、クリーニング手段１９とが配置されている。 
【００２７】
ここで、帯電手段１５は、帯電ローラ１５ａを備えている。帯電手段１５としての帯電ローラ１５ａは、感光体ドラム１２の表面を均一に帯電させるように構成されている。
【００２８】
露光手段１６は、帯電ローラ１５ａと現像装置１７との間において、ミラー１６ａを介して、感光体ドラム１２上の露光部１２ａに露光光Ｌｂを照射しつつ、走査させるように構成されている。 
【００２９】
現像装置１７は、現像剤担持体としての現像スリーブ１７ａ等を備えている。
【００３０】
転写手段１８は、用紙４に転写バイアスを印加して、感光体ドラム１２上に形成されたトナー像を用紙４に転写させるものである。上記した転写部１４は、転写手段１８と感光体ドラム１２との間に形成される。
【００３１】
クリーニング手段１９は、クリーニングブレード１９ａを備えている。
【００３２】
上記した定着装置１３は、例えば、上下一対の定着用ローラ１３ａ，１３ｂを用いて、用紙４に熱と圧力とを与えることにより、用紙４に画像を定着するように構成されている。
【００３３】
そして、上記した給紙機構５は、図２に示すように、複数枚の用紙４を積層して成る用紙束２１（積層紙）を、収容可能な用紙収容部２２と、用紙収容部２２に収容された用紙束２１から、最も表層に位置する一枚の用紙４を、画像形成部３へ向けて給紙可能な給紙部２３とを備えている。
【００３４】
この実施例では、上記に加えて、以下の構成を備えるようにしている。
【００３５】
（１）用紙収容部２２を、水平面に対しほぼ垂直な方向へ紙面を向けて用紙４を収容可能に構成する。そして、給紙部２３が、最も表層に位置する一枚の用紙４を吸引可能な用紙吸引部２４を備えるようにする。
【００３６】
このような構成とするために、先ず、用紙収容部２２として、紙面をほぼ垂直にした状態で用紙４（用紙束２１）を収容保持可能な縦型給紙トレイ２５を設ける。この縦型給紙トレイ２５は、画像形成装置１の本体に設置される。縦型給紙トレイ２５は、単数または複数個設けられる。この場合には、３個の縦型給紙トレイ２５Ａ，２５Ｂ，２５Ｃが設けられている。これに伴い、上記した用紙搬送路６は、各縦型給紙トレイ２５Ａ，２５Ｂ，２５Ｃに対応させて、分岐形成されている（図1参照）。
【００３７】
この場合、縦型給紙トレイ２５は、用紙束２１の両面のそれぞれに対応する一対の縦壁部２５ａ，２５ｂと、用紙束２１の両側面のそれぞれに対応する図示しない一対の側壁部と、縦壁部２５ａ，２５ｂおよび側壁部の下端部を塞ぐ底壁部２５ｅとを有すると共に、上端部に開口部２５ｆを有する縦形の有底容器状を呈している。上記した一対の側壁部は、用紙束２１の最大の厚さ寸法（最大厚さ寸法）よりも大きな幅寸法となるように構成されている。
【００３８】
そして、縦型給紙トレイ２５の一方の縦壁部２５ａの上部には、少なくとも部分的な切欠部２７が形成され、この切欠部２７に、給紙部２３として、最も表層に位置する用紙４を、用紙搬送路６を介して、画像形成部３へ１枚ずつ給紙可能な給紙コロ２８が設置されている。
【００３９】
この場合、給紙コロ２８は、水平で且つ用紙４の紙面に対して平行な方向にその軸線を向けて配設されている。給紙コロ２８は、用紙４をほぼ垂直上方へ向けて給紙し得るように配置されている。
【００４０】
或いは、図２の給紙コロ２８に代えて、上記切欠部２７に、図３に示すような給紙コンベヤ２９を設けるようにしても良い。
【００４１】
この給紙コンベヤ２９は、平行な上下一対の給紙ローラ３１，３２に無端状の給紙ベルト３３を掛け渡したものである。上下一対の給紙ローラ３１，３２は、それぞれ上記した給紙コロ２８と平行な方向に向けられている。
【００４２】
更に、この実施例では、上記切欠部２７に、給紙部２３の用紙吸引部２４として、用紙吸引用ノズル部３５を設ける。この用紙吸引部２４は、給紙部２３を高速給紙手段とするために特に設けられるものである。
【００４３】
この用紙吸引用ノズル部３５は、最も表層に位置する一枚の用紙４を吸引するのに最適な位置に配置される。用紙吸引用ノズル部３５は、好ましくは、用紙４に対して面直となるように配置される。この用紙吸引用ノズル部３５には、気流発生装置３６が接続される。
【００４４】
図２の場合、用紙吸引用ノズル部３５は、給紙コロ２８に対し、給紙方向の上流側の位置に設けられている。この場合には、給紙コロ２８の下側の位置に設けられている。また、図３の場合、用紙吸引用ノズル部３５は、給紙コンベヤ２９の上下一対の給紙ローラ３１，３２間の位置に設けられている。そのために、給紙ベルト３３に対し図示しない孔部を設けると共に、用紙吸引用ノズル部３５を上記孔部へ向けて配置するよう構成したり、または、給紙ベルト３３を左右２本設けて、左右２本の給紙ベルト３３，３３間の位置に用紙吸引用ノズル部３５を配置するよう構成したりする。
【００４５】
（２）上記において、用紙収容部２２が、収容された用紙束２１の少なくとも片面を押圧可能な加圧板４１を備えるようにする。また、この加圧板４１を、用紙４の紙面に対して垂直方向（移動方向４２）に移動可能に構成する。
【００４６】
この場合、加圧板４１は、一対の縦壁部２５ａ，２５ｂの間の位置に、縦壁部２５ａ，２５ｂと平行な状態を保持して移動可能に配設されている。そして、加圧板４１と、用紙吸引部２４が設けられた一方の縦壁部２５ａとの間で用紙束２１を保持し得るように構成されている。或いは、加圧板４１は、用紙束２１の給紙コロ２８や給紙コンベヤ２９が当接する（表層）面とは反対側の（深層）面に対して当接し、および、用紙束２１の（深層）面を押圧保持し得るように構成されている。
【００４７】
そして、加圧板４１と、他方の縦壁部２５ｂとの間には、加圧板４１を縦壁部２５ａ，２５ｂと平行な姿勢を保った状態で、上記した方向へ移動可能な移動機構４４が設けられている。
【００４８】
この場合、移動機構４４は、パンタグラフ式のリンク機構４５と、このリンク機構４５を作動させるアクチュエータ４６とを備えている。
【００４９】
（３）上記において、縦型給紙トレイ２５が、収容された用紙束２１の量を検知可能な用紙量検知手段５１を備えるようにする。また、この用紙量検知手段５１で検知された用紙量５２に基づいて、用紙束２１に対する加圧板４１の当接位置を調整可能な位置調整装置５３を備えるようにする。
【００５０】
この場合、用紙量検知手段５１として、他方の縦壁部２５ｂの下部に、用紙束２１の厚さ方向の寸法（積層幅）を検知可能な検知フィラー５４が設けられている。この検知フィラー５４は、用紙束２１の紙面に対して、ほぼ垂直方向に一定の押圧力を印加することにより、用紙４の積層枚数に連動して常に深層面の位置を検出し、積層幅を検知することができるよう構成したものである。
【００５１】
より具体的には、この検知フィラー５４は、他方の縦壁部２５ｂの下部に設けられた支持軸部５５と、この支持軸部５５にその下端部を回動自在に軸支された検知用アーム部５６と、この検知用アーム部５６の上端部を用紙束２１へ向けて付勢可能な付勢手段５７と、検知用アーム部５６の回動角度などによって、用紙量５２を検知可能なセンサ部５８とを備えている。
【００５２】
支持軸部５５は、水平で且つ用紙４の紙面に対して平行な方向に延びて、検知用アーム部５６を上下方向に回動可能に軸支するものとされている。検知用アーム部５６は、ほぼ上下方向へ延びると共に、その上端部に、用紙束２１に対する接触部（または当接部）が形成されている。加圧板４１の下部には、少なくとも部分的に、検知用アーム部５６の上端部が、加圧板４１を通して、最も深層に位置する用紙４に対して当接し得るようにする貫通孔部５９（または切欠部。以下同様）が形成されている。この貫通孔部５９は、ほぼ上下方向へ延びる長孔（または長尺切欠部）などとされている。付勢手段５７には、例えば、コイルバネや板バネなどが用いられる。センサ部５８は、上記した支持軸部５５に取付けられる。センサ部５８には、例えば、角度センサなどが用いられる。更に、位置調整装置５３は、センサ部５８からの検知信号（用紙量５２）に基づいて、移動機構４４のアクチュエータ４６に指令信号６１を送る制御装置６２とすることができる。
【００５３】
＜作用＞次に、この実施例の作用について説明する。
【００５４】
画像形成装置１としてのプリンタ２における画像形成動作は、以下のように行われる。
【００５５】
即ち、図１に示す、像担持体としての感光体ドラム１２が矢印の方向に回転を始めると、感光体ドラム１２の表面が、帯電手段１５としての帯電ローラ１５ａによって均一に帯電される。そして、露光手段１６により、画像情報に基づいて露光光Ｌｂが露光部１２ａに照射されつつ、走査されて、作成すべき画像に対応した静電潜像が感光体ドラム１２に形成される。 
【００５６】
この静電潜像は、感光体ドラム１２の回転により現像装置１７へ移動し、現像装置１７で現像スリーブ１７ａによりトナーが供給されて可視像化され、トナー像が形成される。
【００５７】
感光体ドラム１２上に形成されたトナー像は、レジスト手段１１のレジストローラ１１ａ，１１ｂによって所定のタイミングで進入してきた用紙４に、転写部１４で、転写手段１８により、転写バイアスを印加されることによって転写される。
【００５８】
転写によりトナー像を担持した用紙４は定着装置１３へ向けて搬送され、定着装置１３の定着用ローラ１３ａ，１３ｂで、熱と圧力によって定着され、その後、図示しない排紙トレイへ排出・スタックされる。 
【００５９】
更に、転写手段１８で転写されずに感光体ドラム１２上に残った残留トナーは、感光体ドラム１２の回転に伴ってクリーニング手段１９に至り、このクリーニング手段１９を通過する間にクリーニングブレード１９ａにより掻き落とされて清掃される。その後、感光体ドラム１２上の残留電位が図示しない除電手段により除去され、次の作像工程に備えられる。 
【００６０】
そして、上記した給紙機構５では、図２または図３に示すように、複数枚の用紙４を積層して成る用紙束２１（積層紙）が、用紙収容部２２に収容されると共に、給紙部２３によって、用紙収容部２２に収容された用紙束２１から、最も表層に位置する一枚の用紙４が、用紙搬送路６を介して、画像形成部３へ向け給紙される。
【００６１】
この場合、用紙収容部２２の縦型給紙トレイ２５に縦積み状態で収容された用紙束２１から、最も表層に位置する一枚の用紙４が、用紙吸引部２４の用紙吸引用ノズル部３５による吸引によって分離される。そして、図２の給紙コロ２８や図３の給紙コンベヤ２９によって、ほぼ垂直上方に搬送されることになる。
【００６２】
このように、用紙吸引部２４の用紙吸引用ノズル部３５で用紙４を（水平方向へ）吸引することにより、気流の力を利用して、用紙４を高速で給紙することが可能となり、画像形成装置１の高速化に対応することが可能となる。
【００６３】
そして、この実施例によれば、以下のような作用効果を得ることができる。
【００６４】
（１）用紙収容部２２（の縦型給紙トレイ２５）に、水平面に対しほぼ垂直な方向へ紙面を向けて用紙４を収容（縦積み）することにより、用紙４に作用する重力の方向が、紙面と平行になるので、即ち、用紙吸引部２４（の用紙吸引用ノズル部３５）によって、重力の影響を受けることなく用紙４を（水平方向へ）吸引することが可能となるので、最も表層に位置する一枚の用紙４を吸引して、残りの用紙４から分離するために必要なエアの吸引量を、横型トレイに、ほぼ水平方向へ紙面を向けて用紙４を収容（横積み）した場合と比較して、大幅に低減することができる。これにより、用紙吸引部２４に接続される気流発生装置３６の小型化を図ることや、気流発生装置３６の駆動に必要なエネルギー及び気流発生装置３６が発生する騒音の低減を実現することができる。また、上記した横積みの場合には、分離が困難で給紙できなかった光沢紙等に対しても、縦積みとすることによって対応することが可能となる。
【００６５】
（２）用紙収容部２２（の縦型給紙トレイ２５）に備えられた加圧板４１を用いて、縦積みされた用紙束２１を押圧することにより、用紙束２１の重力による屈曲を防止することができる。また、加圧板４１を、用紙束２１の量または用紙束２１の量の変化に対応させて、用紙４の紙面に対し垂直方向に移動させることにより、用紙束２１と加圧板４１との間に隙間が発生するのを防止することができる。更に、加圧板４１によって、用紙吸引部２４が用紙４を吸引するのに最適な位置に、用紙束２１を移動し、または、保持することができる。
【００６６】
（３）用紙収容部２２（の縦型給紙トレイ２５）に備えられた用紙量検知手段５１は、用紙収容部２２（の縦型給紙トレイ２５）に収容された用紙束２１の量を検知する。そして、用紙量検知手段５１で検知された用紙量５２に基づいて位置調整装置５３は、用紙束２１に対する加圧板４１の当接位置を調整する。これにより、用紙束２１の量または用紙束２１の量の変化に拘らず、加圧板４１を、常に上記した最適な位置に保持することが可能となる。
【００６７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【産業上の利用可能性】
【００６８】
複写機やプリンタなどの画像形成装置の画像形成部に対して、用紙（シート状転写紙）を、より高速に給紙することができるようになる。そして、用紙吸引部に接続される気流発生装置の小型化・低騒音化・省エネルギー化を実現することができる。
【符号の説明】
【００６９】
１    画像形成装置
３    画像形成部
４    用紙
５    給紙機構
２１  用紙束
２２  用紙収容部
２３  給紙部
２４  用紙吸引部
２５  縦型給紙トレイ
４１  加圧板
５１  用紙量検知手段
５２  用紙量
５３  位置調整装置
【先行技術文献】
【特許文献】
【００７０】
【特許文献１】特開平１１−２７８７４２号公報
【特許文献２】特開平０６−２５５８１７号公報
【特許文献３】特開平０７−１７２５９４号公報
【特許文献４】特開２００６−０６５３０１号
【特許文献５】特開２００４−１６８４８０号
【特許文献６】特開平０６−２９８３８１号公報
【特許文献７】特開２００２−１２８２８７号
【図１】
2010202354.tif 000003
【図２】
2010202354.tif 000004
【図３】
2010202354.tif 000005